(57)【要約】【課題】スポットライトにおいて、被照射面における高照度領域を移動自在で照明できるようにする。【解決手段】スポットライト１は、開口２がレンズ３により覆われた本体部４と、本体部４内に配置された光源５と、光源５から放射された光を反射してレンズ３から出射させる反射鏡６と、光源５をレンズ３の光軸方向に移動させるためのスライド機構７と、スライド機構７を搭載して本体部４に対して回動自在な回動筐体８とを備える。反射鏡６の開口面の法線と光源５の光軸とが平行であるときに、スライド用ツマミ７９をスライドさせると、スライド台７１がスライド用ツマミ７９の操作方向と同じ方向に移動し、光源５は反射鏡６の中心軸上を移動する。スライド用ツマミ７９をレンズ側方向に最大限スライドさせた状態で、回動用ツマミ８３を回すと、回動筐体８が回動して、光源５の光軸と反射鏡６の開口面の法線との成す角が変化する。【選択図】図１
2009129805.tif 000002
【特許請求の範囲】
【請求項１】
一面に開口が形成された本体部と、前記本体部内に配置された光源と、前記光源から放射された光を反射して前記開口から出射させる凹面状の反射鏡とを備えたスポットライトであって、
前記光源は、前記反射鏡の開口面の法線と光源の光軸とが平行であるとき、該反射鏡の中心軸上を移動自在に支持され、
前記光源と反射鏡とは、該反射鏡の開口面の法線と光源の光軸との成す角が可変自在とされていることを特徴とするスポットライト。
【発明の詳細な説明】
【技術分野】
【０００１】
本発明は、光源と反射鏡との相対位置を可変自在としたスポットライトに関する。
【背景技術】
【０００２】
従来より、光源と反射鏡との相対位置を可変自在にして配光特性を調整可能としたスポットライトが知られている。例えば、この種のスポットライトとして、一面に形成された開口に透光板が設けられた本体部と、本体部内に配置された光源と、光源から放射された光を反射して透光板から出射させる反射鏡と、反射鏡を搭載して透光板の光軸方向に移動自在なスライド台を備えたものがある（例えば、特許文献１及び特許文献２参照）。このスポットライトでは、スライド台を移動させることにより、透光板の光軸方向での光源に対する反射鏡の位置が変化して照明範囲を調整することができるようになっている。
【特許文献１】特開平１１−３５３９０３号公報
【特許文献２】特開平１１−３５３９０４号公報
【発明の開示】
【発明が解決しようとする課題】
【０００３】
ところで、上述したような従来のスポットライトにおいて、光源の中心を反射鏡の焦点に対して透光板側に位置させると、被照射面の中央部に高照度領域が形成されることになる。しかしながら、光源の中心を反射鏡の焦点に対して透光板の光軸方向と垂直な方向に位置させることができないため、高照度領域を被照射面の中心からずらして照明を行う際には、２台のスポットライトを用いる必要があった。
【０００４】
本発明は、上記問題を解決するためになされたものであり、１台で被照射面における高照度領域を移動自在で照明することが可能なスポットライトを提供することを目的とする。
【課題を解決するための手段】
【０００５】
上記目的を達成するために請求項１の発明は、一面に開口が形成された本体部と、前記本体部内に配置された光源と、前記光源から放射された光を反射して前記開口から出射させる凹面状の反射鏡とを備えたスポットライトであって、前記光源は、前記反射鏡の開口面の法線と光源の光軸とが平行であるとき、該反射鏡の中心軸上を移動自在に支持され、前記光源と反射鏡とは、該反射鏡の開口面の法線と光源の光軸との成す角が可変自在とされているものである。
【発明の効果】
【０００６】
請求項１の発明によれば、反射鏡の開口面の法線と光源の光軸との成す角を変えることで、被照射面における高照度領域を中心からずらすことができる。従って、照明対象である被照射物において強調したい部分を、本スポットライト１台で明るくスポット照射することができる。例えば、マネキン全体を低照度で照明し、そのうちマネキンの中心から外れた位置にあるネクタイ部分のみを高照度で照明することが可能となる。
【発明を実施するための最良の形態】
【０００７】
本発明の一実施形態に係るスポットライトについて図面を参照して説明する。図１及び図２は本実施形態に係るスポットライトの概略構成を示す。スポットライト１は、一面に形成された開口２がレンズ３により覆われた本体部４と、本体部４内に配置された光源５と、光源５から放射された光を反射してレンズ３から出射させる反射鏡６と、光源５をレンズ３の光軸方向に移動させるためのスライド機構７と、スライド機構７を搭載して本体部４に対して回動自在な回動筐体８とを備える。
【０００８】
本体部４は、円筒状の胴部４１と２つの蓋部４２、４３で構成されて、光源５、反射鏡６、スライド機構７及び回動筐体８を収容する内部空間４４を有している。開口２は、本体部４において前方に位置する蓋部４２を貫通しており、レンズ３は、本体部４の円筒軸上に配置されている。本体部４の後面には、電力線が配線された配線ダクト９と連結するための連結具１０が設けられ、この連結具１０は配線ダクト９に沿って摺動自在であって、上下方向における任意の位置で固定することが可能となっている。
【０００９】
反射鏡６は、光源５の側方部分から前方部分を覆う第１反射鏡６１と、光源５の後方部分を覆う第２反射鏡６２で構成されており、双方の反射面は、その焦点に光源５の中心があるときに、光源５から放射された光を反射鏡６の中心軸方向、すなわちレンズ３の光軸方向と平行に反射するように凹面状に形成されている。第１反射鏡６１は、前端部がレンズ３まで延出されて本体部４に固定されている。一方で第２反射鏡６２は、後面に設けられた支持部材６３を介してスライド機構７に固定されており、後述するスライド操作により、光源５と共にレンズ３の光軸方向に移動するようになっている。
【００１０】
スライド機構７は、ラック７０、７０が形成されたスライド台７１と、光源５を着脱自在に取り付けるソケット７２と、回動筐体８に回転自在に支持されてラック７０、７０と噛み合う２本のギア軸７３、７３と、ギア軸７３、７３と噛み合うラック７４、７４が形成されてレンズ３の光軸方向にスライドしてギア軸７３、７３を回転させるスライド部材７５とを有する。ソケット７２は、スライド台７１の前面の略中央部に設けられている。
【００１１】
ラック７０、７０は、スライド台７１の上面と下面に形成されており、レンズ３の光軸方向に歯が配列されている。ギア軸７３、７３は、スライド台７１のラック７０、７０と噛み合う第１ギア７６、７６と、スライド部材７５のラック７４、７４と噛み合う第２ギア７７、７７と、第１ギア７６、７６及び第２ギア７７、７７に貫入固定される軸７８、７８とを有する。第２ギア７７、７７は、第１ギア７６、７６と等しいモジュール及び歯数を有しており、回動筐体８の側方に突出した軸７８、７８の一端部に設けられている。スライド部材７５は、第２ギア７７、７７の間に設けられており、ラック７４、７４が第２ギア７７、７７と噛み合うように上下外向きに形成されている。スライド部材７５は、レンズ３の光軸方向に移動させる際にユーザにより操作されるスライド用ツマミ７９を有する。スライド用ツマミ７９は、スライド部材７５の中央部に設けられており、その一端部が本体部４の胴部４１に形成された長穴４５から突出している。長穴４５は、スライド用ツマミ７９をレンズ３の光軸方向にスライドさせることができるように形成され、さらにスライド用ツマミ７９をレンズ側に最大限スライドさせた状態において、回動筐体８の回動によってスライド用ツマミ７９が干渉しないように形成されている。本実施形態では、反射鏡６の開口面の法線はレンズ３の光軸と一致している。
【００１２】
回動筐体８は、スライド台７１を収容することができるように、前方が開放された箱型状に形成されている。回動筐体８は、その両側面に外向きに突出する円筒状の突出軸８２、８２が形成されており、この突出軸８２、８２が本体部４の胴部４１を貫通する穴４６に挿入されて、本体部４に対して回転自在に軸支されている。突出軸８２の、本体部４のスライド用ツマミ７９側に突出した端部には、光源５を傾ける際にユーザにより操作される回動用ツマミ８３が設けられている。
【００１３】
上記のように構成されたスポットライト１の動作について説明する。反射鏡６の開口面の法線と光源５の光軸とが平行であるときに、スライド用ツマミ７９をスライドさせると、スライド部材７５が移動して第２ギア７７、７７が回転し、第２ギア７７、７７と共に軸７８、７８に固定された第１ギア７６、７６が回転する。この第１ギア７６、７６の回転により、スライド台７１がスライド用ツマミ７９の操作方向と同じ方向に移動し、光源５は反射鏡６の中心軸上を移動する。また、スライド用ツマミ７９をレンズ側方向に最大限スライドさせた状態で、回動用ツマミ８３を回すと、回動筐体８が回動して、光源５の光軸と反射鏡６の開口面の法線との成す角が変化する。具体的には、回動用ツマミ８３を反時計周りに回すと、図２（ａ）のように光源５が上方に傾き、回動用ツマミ８３を時計周りに回すと、図２（ｂ）のように光源５が下方に傾く。
【００１４】
次に、上記のように構成されたスポットライト１の照射パターンについて図３を参照して説明する。図３においては、光源５、反射鏡６及びレンズ３を模式的に表す。図３（ａ）に示すように、光源５の中心５１が反射鏡６の焦点６４にある場合では、反射光が反射鏡６の中心軸と平行に進行してレンズ３から出射する。そのため、レンズ３の光軸に対して垂直に交差する被照射面１１の照度は略均一となり、均斉度（最小照度/平均照度）の高い照射パターンを実現することが可能となる。
【００１５】
図３（ｂ）に示すように、光源５の中心５１が反射鏡６の焦点６４よりもレンズ３側にある場合では、反射光が反射鏡６の中心軸上に向かって進行してレンズ３から出射し、被照射面１１の中央部に集光される傾向がある。そのため、被照射面１１の中央部において円形の高照度領域１２が形成される。
【００１６】
図３（ｃ）に示すように、光源５の中心５１が反射鏡６の焦点６４よりもレンズ３側の反対側にある場合では、反射光が反射鏡６の中心軸上から遠ざかるように進行してレンズ３から出射し、被照射面１１の外周近傍に集光される傾向がある。そのため、被照射面１１の略周縁においてドーナツ型の高照度領域１２が形成される。
【００１７】
図３（ｄ）に示すように、光源５の中心５１が反射鏡６の焦点６４よりもレンズ３側にあって、反射鏡６の中心軸よりも上方にある場合では、反射光が反射鏡６の中心軸より上方部分に向かって進行してレンズ３から出射し、被照射面１１の上部に集光される傾向がある。そのため、被照射面１１の上部において三日月形の高照度領域１２が形成される。反対に、光源５の中心５１が反射鏡６の中心軸よりも下方にある場合では、被照射面１１の下部において三日月形の高照度領域１２が形成される。
【００１８】
以上、本実施形態に係るスポットライト１によれば、反射鏡６の開口面の法線と光源５の光軸との成す角を変えることで、被照射面における高照度領域を中心からずらすことができる。従って、照明対象である被照射物において強調したい部分を、本スポットライト１台で明るくスポット照射することができる。
【００１９】
なお、本発明は、上記実施形態の構成に限られず、発明の趣旨を変更しない範囲で種々の変形が可能である。例えば、スライド部材７５及び回動筐体８を駆動させるアクチュエータを本スポットライト１に設け、このアクチュエータをリモコンの操作に応じて制御して、光源５を自動的に移動及び傾斜させるようにしたものであってもよい。
【図面の簡単な説明】
【００２０】
【図１】（ａ）は本発明の一実施形態に係るスポットライトを示す側面断面図、（ｂ）は同スポットライトを示す正面断面図、（ｃ）は同スポットライトを示す側面図。
【図２】（ａ）は同スポットライトにおいて、光源を上方に傾けた状態を示す側面断面図、（ｂ）は光源を下方に傾けた状態を示す側面断面図。
【図３】（ａ）は光源の中心が反射鏡の焦点にある場合での照射パターンを示す説明図、（ｂ）は光源の中心が反射鏡の焦点よりもレンズ側にある場合での照射パターンを示す説明図、（ｃ）は、光源の中心が反射鏡の焦点よりもレンズ側の反対側にある場合での照射パターンを示す説明図、（ｄ）は、光源の中心が反射鏡の焦点よりもレンズ側にあって、反射鏡の中心軸よりも上方にある場合での照射パターンを示す説明図。
【符号の説明】
【００２１】
１  スポットライト
２  開口
４  本体部
５  光源
６  反射鏡
【図１】
2009129805.tif 000003
【図２】
2009129805.tif 000004
【図３】
2009129805.tif 000005